(57)【要約】【課題】無影灯が設置されていない環境下でも、医師が医療行為を行うのに十分な照明環境を実現することのできる医療用ヘッドライトを提供する。【解決手段】医療用ヘッドライトは、オペレータの頭部に装着可能に構成された、湾曲形状を示すヘッドバンドと、ヘッドバンドよりも外側に位置した状態で、ヘッドバンドの少なくとも２箇所に設けられた固定部に対して連結されており、ＬＥＤ素子が実装された、本体部とを備える。本体部は、ＬＥＤ素子が実装された発光面を複数有する。複数の発光面は、当該複数の前記発光面から射出される光束の光軸が、実質的に同一の箇所で交差するように配置されている。【選択図】        図４
2018160415.tif 000002
【特許請求の範囲】
【請求項１】
オペレータの頭部に装着可能に構成された、湾曲形状を示すヘッドバンドと、
前記ヘッドバンドよりも外側に位置した状態で、前記ヘッドバンドの少なくとも２箇所に設けられた固定部に対して連結されており、ＬＥＤ素子が実装された、本体部とを備え、
前記本体部は、前記ＬＥＤ素子が実装された発光面を複数有し、
複数の前記発光面は、当該複数の前記発光面から射出される光束の光軸が、実質的に同一の箇所で交差するように配置されていることを特徴とする医療用ヘッドライト。
【請求項２】
２以上の前記発光面は、相互に、前記光軸が交差する位置を中心とした異なる円周上に配置されていることを特徴とする請求項１に記載の医療用ヘッドライト。
【請求項３】
複数の前記発光面は、前記本体部の形状に沿った所定方向に並べられており、
複数の前記発光面のうち、前記所定方向に関して端部に配置された前記発光面は、前記所定方向に関して中央部に配置された前記発光面よりも、前記光軸が交差する位置からの距離が遠いことを特徴とする請求項１又は２に記載の医療用ヘッドライト。
【請求項４】
前記本体部は、段差状に形成された複数の平坦面を有し、
複数の前記発光面のそれぞれが、複数の前記平坦面上に形成されていることを特徴とする請求項１〜３のいずれか１項に記載の医療用ヘッドライト。
【請求項５】
前記本体部は、フレキシブル基板を有し、
複数の前記平坦面は、前記フレキシブル基板が複数回折れ曲げられることで形成されていることを特徴とする請求項４に記載の医療用ヘッドライト。
【請求項６】
前記本体部は、前記発光面とは反対側の面にフィンを備え、
前記オペレータの頭部に前記ヘッドバンドが装着された状態において、前記フィンは、前記ヘッドバンドに対して離間を有した位置に配置されていることを特徴とする請求項１〜５のいずれか１項に記載の医療用ヘッドライト。
【請求項７】
前記本体部は、前記フレキシブル基板の、前記ＬＥＤ素子が実装されている側とは反対側の面にフィンを備えたことを特徴とする請求項５に記載の医療用ヘッドライト。
【請求項８】
前記本体部と前記ヘッドバンドとの結合状態を調整可能なヒンジ部を有し、
前記本体部は、前記ヘッドバンドに対して上下方向に回動可能に構成されていることを特徴とする請求項１〜７のいずれか１項に記載の医療用ヘッドライト。
【請求項９】
前記光軸が交差する位置において、２以上の前記発光面から射出される光束の照射領域の面積が相互に異なっていることを特徴とする請求項１〜８のいずれか１項に記載の医療用ヘッドライト。
【発明の詳細な説明】
【技術分野】
【０００１】
本発明は医療用ヘッドライトに関し、特に医療従事者が手術などの医療行為を行う際に使用する医療用ヘッドライトに関する。
【背景技術】
【０００２】
一般的に、手術室には、術野を照明するための装置として、無影灯が設置されている。また、細かい作業を必要とする場合には、オペレータ（手術者、医師）の頭部に装着して部分的に術野を照明する医療用ヘッドライトが併用されることが一般的である（例えば、特許文献１参照）。
【先行技術文献】
【特許文献】
【０００３】
【特許文献１】特開平９−５１９００号公報
【発明の概要】
【発明が解決しようとする課題】
【０００４】
従来の医療用ヘッドライトは、無影灯と共に補助的に利用されることが想定されており、院外で利用することは想定されていなかった。例えば被災時における避難所などの野外や、救急車両内など、無影灯がそもそも存在しない場所において、従来の医療用ヘッドライトを用いて医師が手術などの医療行為を行うには、照度が不十分であり、配光のムラが存在していた。
【０００５】
本発明は、上記の課題に鑑み、無影灯が設置されていない環境下でも、医師が医療行為を行うのに十分な照明環境を実現することのできる医療用ヘッドライトを提供することを目的とする。
【課題を解決するための手段】
【０００６】
本発明に係る医療用ヘッドライトは、
オペレータの頭部に装着可能に構成された、湾曲形状を示すヘッドバンドと、
前記ヘッドバンドよりも外側に位置した状態で、前記ヘッドバンドの少なくとも２箇所に設けられた固定部に対して連結されており、ＬＥＤ素子が実装された、本体部とを備え、
前記本体部は、前記ＬＥＤ素子が実装された発光面を複数有し、
複数の前記発光面は、当該複数の前記発光面から射出される光束の光軸が、実質的に同一の箇所で交差するように配置されている。
【０００７】
上記の構成によれば、各発光面から射出される光束の光軸が、実質的に同一の箇所で交差するように配置されているため、前記光軸が交差する箇所を含む領域において極めて高い照度が実現される。
【０００８】
オペレータが医療行為を行う場合、自己の頭部と患者の術野との距離はおよそ一定の範囲内となる。つまり、オペレータが、ヘッドバンドを自己の頭部に装着して医療用ヘッドライトを使用する場合において、本体部に実装されたＬＥＤ素子と照明領域との間の距離はほぼ一定の範囲内である。例えば、この距離は４００ｍｍ以上８００ｍｍ以下の範囲内である。従って、発光面から前記距離だけ前方の位置において、各発光面から射出される光束の光軸が交差するように、発光面の位置又は角度を調整しておくことで、無影灯がない環境下においても医療行為を行うに足りる照度が実現可能となる。
【０００９】
なお、複数の発光面から射出される光束の光軸が「実質的に同一の箇所で交差する」とは、各光束の光軸が完全に同一点において交差する場合はもちろんのこと、近傍の領域において複数の光束の光軸が交差している場合を含む概念である。ここでいう「近傍の領域」とは、当該位置における光束の照射領域の幅に対して１０％以下の距離でずれている領域を指す。
【００１０】
２以上の前記発光面は、相互に、前記光軸が交差する位置を中心とした異なる円周上に配置されているものとしても構わない。
【００１１】
また、上記医療用ヘッドライトにおいて、
複数の前記発光面は、前記本体部の形状に沿った所定方向に並べられており、
複数の前記発光面のうち、前記所定方向に関して端部に配置された前記発光面は、前記所定方向に関して中央部に配置された前記発光面よりも、前記光軸が交差する位置からの距離が遠いものとしても構わない。
【００１２】
かかる構成とすることで、各発光面が、オペレータの頭部の形状に合った形状で配置される。このため、オペレータがこの医療用ヘッドライトを装着した状態で医療行為を行っても、当該ヘッドライトが医療行為の妨げになることが抑制される。
【００１３】
複数の前記発光面は、第一色温度の第一ＬＥＤ素子と、第二色温度の第二ＬＥＤ素子とを有し、
前記第一ＬＥＤ素子、及び前記第二ＬＥＤ素子に対して、個別に供給電流量の調整が可能に構成されているものとしても構わない。
【００１４】
かかる構成とすることで、色温度の異なる光が同一の領域に照射されるため、照射領域における色ムラが抑制される。また、かかる構成の下で、第一ＬＥＤ素子、第二ＬＥＤ素子に対して個別に供給電流量を調整することで、色ムラを抑制しながら、照射領域における色温度を調整することができる。
【００１５】
前記本体部は、段差状に形成された複数の平坦面を有し、
複数の前記発光面のそれぞれが、複数の前記平坦面上に形成されているものとしても構わない。
【００１６】
このとき、前記本体部は、フレキシブル基板を有し、
複数の前記平坦面は、前記フレキシブル基板が複数回折れ曲げられることで形成されているものとしても構わない。
【００１７】
前記医療用ヘッドライトは、
前記本体部と前記ヘッドバンドとの結合状態を調整可能なヒンジ部を有し、
前記本体部は、前記ヘッドバンドに対して上下方向に回動可能に構成されているものとしても構わない。
【００１８】
前記本体部は、前記発光面とは反対側の面にフィンを備え、
前記オペレータの頭部に前記ヘッドバンドが装着された状態において、前記フィンは、前記ヘッドバンドに対して離間を有した位置に配置されているものとしても構わない。
【００１９】
また、別の構成として、前記本体部は、前記フレキシブル基板の、前記ＬＥＤ素子が実装されている側とは反対側の面にフィンを備えるものとしても構わない。
【００２０】
上記医療用ヘッドライトは、無影灯がない状態でも十分な照度が実現できるように構成されている。このため、発光面に備えられたＬＥＤ素子は高輝度の素子が利用されることが想定されるところ、当該発光面は発光中に高温になることが想定される。上記構成によれば、頭部と離間した位置にフィンが設けられるため、オペレータがこの医療用ヘッドライトを装着して医療行為を行っている場合に、顔や頭部が熱くなる事態が回避できる。
【００２１】
前記医療用ヘッドライトにおいて、前記光軸が交差する位置において、２以上の前記発光面から射出される光束の照射領域の面積が相互に異なっているものとしても構わない。より詳細には、２以上の前記発光面から射出される光束の発散角を異ならせるものとして構わない。発散角を異ならせる方法としては、例えば発光面に、ＬＥＤ素子と共に光学部材を設け、光学部材の設計を適宜調整することで実現することができる。
【発明の効果】
【００２２】
本発明の医療用ヘッドライトによれば、無影灯が設置されていない環境下でも、医師が医療行為を行うのに十分な照明環境を実現することができる。
【図面の簡単な説明】
【００２３】
【図１】医療用ヘッドライトの一実施形態を模式的に示す斜視図である。
【図２】図１の一部拡大図である。
【図３】医療用ヘッドライトの使用状況を模式的に示す図面である。
【図４】発光面が形成されている本体部の構成を模式的に示す図面である。
【図５Ａ】発光面が形成されていない本体部の構成を模式的に示す斜視図である。
【図５Ｂ】発光面が形成されていない本体部の構成を模式的に示す平面図である。
【図６】医療用ヘッドライトの制御内容を模式的に示すブロック図である。
【図７Ａ】別実施形態の、発光面が形成されていない本体部の構成を模式的に示す斜視図である。
【図７Ｂ】別実施形態の、発光面が形成されていない本体部の構成を模式的に示す平面図である。
【図８】別実施形態の、発光面が形成されている本体部の構成を模式的に示す図面である。
【図９】別実施形態の医療用ヘッドライトにおいて、異なる発光面から射出された光束が照射される領域の相違を模式的に示す図面である。
【発明を実施するための形態】
【００２４】
本発明に係る医療用ヘッドライトの実施形態につき、図面を参照して説明する。なお、以下の各図面は、あくまで医療用ヘッドライトの一実施形態を示すものであって、本発明を図示された構造に限定する趣旨ではない。また、各図において、図面の寸法比と実際の寸法比は必ずしも一致しない。
【００２５】
図１は、医療用ヘッドライトの一実施形態を模式的に示す斜視図である。図２は、図１の一部分を拡大して模式的に示す斜視図である。医療用ヘッドライト１は、ヘッドバンド３と、本体部５と、制御ボックス１０とを備える。本体部５には、複数のＬＥＤ素子７が実装されている。なお、図２に示すように、本体部５において、ＬＥＤ素子７が配置されている側の裏側には、冷却用のフィン９が設けられている。
【００２６】
本実施形態では、本体部５には、電球色（第一色温度）のＬＥＤ素子７ａと、白色（第二色温度）のＬＥＤ素子７ｂとがそれぞれ複数実装されている。電球色のＬＥＤ素子７ａに対して供給される電流量と、白色のＬＥＤ素子７ｂに対して供給される電流量の比率が調整されることで、発光色の色温度が調整可能に構成されている。なお、図１では、電球色のＬＥＤ素子７ａに対してハッチングが施されている。
【００２７】
図１に示すように、本体部５は湾曲した帯形状を示している。この本体部５の形状に沿って、すなわち、方向ｄ１に沿って複数の発光面６０が形成されている。各発光面６０は、上述したように複数の（ここでは４個の）ＬＥＤ素子７で構成されている。なお、各発光面６０が単独のＬＥＤ素子７で構成されていても構わない。
【００２８】
ヘッドバンド３は、オペレータの頭部に装着できるよう、湾曲形状を示している。図３は、実際にオペレータ４０が医療用ヘッドライト１を装着して、載置台４１上に載置された患者４３に対して医療行為を行っている様子を模式的に示す図面である。
【００２９】
本実施形態では、本体部５は、２箇所に設けられた固定部４によってヘッドバンド３と固定的に連結されている。本体部５は、固定部４によって連結された状態の下で、ヘッドバンド３よりも外側に位置している。また、本体部５には角度調整用ツマミ８が設けられており、このツマミ８を緩めることで、オペレータ４０の頭部を中心として、本体部５を上下方向に回動させることができる。これにより、ＬＥＤ素子７から射出される光束５０（図３参照）の向きが調整できる。本実施形態におけるツマミ８が「ヒンジ部」に対応する。
【００３０】
制御ボックス１０は、ケーブル２３を介して本体部５に対して接続されている。制御ボックス１０には、後述される制御部などを備えており、制御部によって決定された量の電流がケーブル２３を介して本体部５に供給される。この制御ボックス１０から送られる電流量が制御されることで、ＬＥＤ素子７の発光制御が行われる。
【００３１】
本体部５は、フェースガード２１を備えている。医療行為中に患者４３から血液などの体液が飛散するおそれがある。フェースガード２１は、この体液がオペレータ４０の顔面に付着するのを防止する目的で設けられている。
【００３２】
本実施形態において、各発光面６０は、当該発光面６０から射出される光束の光線が一点で交わるように設計されている。図４は、発光面６０が形成されている本体部５の構成を模式的に示す図面である。図４に示す例では、方向ｄ１に沿って６つの発光面６０が本体部５に形成されている例が図示されている。そして、方向ｄ１に関し、発光面６０ａ、発光面６０ｂ、発光面６０ｃの順に、中央部から端部に近づくように配置されている。図４において、長破線によって各発光面６０から射出される光束の光軸が図示されている。なお、本実施形態では、発光面６０が方向ｄ１に沿って、左右対称にそれぞれ３つずつ並べられている場合を説明するが、この態様はあくまで一例である。すなわち、発光面６０の配置数は６に限定されるものではなく、また、各発光面６０が左右非対称に配置されていても構わない。
【００３３】
図４によれば、発光面６０ａから射出される光束の光軸６１ａ、発光面６０ｂから射出される光束の光軸６１ｂ、及び発光面６０ｃから射出される光束の光軸６１ｃは、いずれも微小領域６２において交差している。つまり、この微小領域６２の位置を照明領域５１（図３参照）に含めることで、照明領域５１は極めて高い照度となる。なお、図４では、図面上左半分の領域に配置された発光面６０についてのみ議論しているが、右半分の領域に配置された発光面６０についても同様である。
【００３４】
図４では、発光面６０のうち、方向ｄ１に関して端部に近い位置に配置された発光面６０ｃは、中央部に近い位置に配置された発光面６０ａよりも、微小領域６２からの距離が遠い位置に配置されている。すなわち、微小領域６２から見て、発光面６０ｃは、発光面６０ａよりも奥まった箇所に位置している。このような構成とすることで、本体部５の形状を、オペレータ４０の頭部の形状に沿わせることが可能となり、オペレータ４０の医療行為の妨げになることが抑制される。
【００３５】
このように構成する具体的な方法の一例としては、各発光面６０を、微小領域６２、より詳細には、各光軸６１の交点を中心とした円周上に配置することで実現される。図４では、微小領域６２内の一点を中心とした、円周ｃ１上に発光面６０ａが配置され、円周ｃ２上に発光面６０ｂが配置され、円周ｃ３上に発光面６０ｃが配置されている場合が例示されている。
【００３６】
図５Ａ及び図５Ｂは本実施形態における本体部５の構造を模式的に示す図面であり、図５Ａは斜視図、図５Ｂは平面図に対応する。なお、図５Ａ及び図５Ｂでは、ＬＥＤ素子７を含む発光面６０を実装していない状態の図面である。この本体部５は、例えば、アルミニウム、マグネシウム、銅、銅合金などの金属部材７０にて一体成型されることで構成される。
【００３７】
図５Ａ及び図５Ｂに示すように、この金属部材７０は、一方の側に複数の平坦面７１を有し、隣接する平坦面７１同士は横リブ７２で連結されている。そして、本体部５は、平坦面７１とは反対側に形成されたフィン９を備えている。このような構成とすることで、各平坦面７１に、ＬＥＤ素子７を含む発光面６０を安定的に実装することが可能となる。また、横リブ７２が形成されていることで、各平坦面７１の相互の位置関係は安定的に保持される。これにより、オペレータ４０が実際にヘッドライト１を装着し、本体部５を上下方向に回動させて、各発光面６０から射出される各光束の進行方向を調整する動作を行っても、各光束の光軸６１同士の位置関係は保持される。すなわち、図４を参照して上述したように、各光軸６１は、ほぼ一点（微小領域６２）において交差された状態が保持される。
【００３８】
図５Ａ及び図５Ｂに示されるような複数の平坦面７１上に、発光面６０を形成するに際しては、例えば、複数のＬＥＤ素子７が実装されたフレキシブル基板を複数回折り曲げて、平坦面７１及び横リブ７２に沿わせる形で配置することで実現できる。
【００３９】
図１に戻り、本体部５はマイク２２を備える。オペレータ４０がマイク２２を通して所定の音声を入力すると、制御ボックス１０内において、当該音声信号に基づく制御が実行される。この制御内容については後述される。
【００４０】
医療用ヘッドライト１は、バッテリーボックス２５を備えている。バッテリーボックス２５内には、図示しないバッテリーが内蔵されている。バッテリーボックス２５には充電用コネクタ２６が備えられており、このコネクタ２６を介して図示しないケーブルを接続することで、例えば商用電源から内蔵バッテリーに対して充電できる。バッテリーボックス２５に内蔵されているバッテリーは、バッテリーケーブル２７を介して制御ボックス１０と電気的に接続されている。制御ボックス１０内に設けられた制御部を初めとする電子部品、及び本体部５に実装されている各ＬＥＤ素子７は、バッテリーボックス２５に内蔵されたバッテリーから電力が供給される。ただし、医療用ヘッドライト１は、コネクタ２６にケーブルが接続されることで、商用電源から直接、各部品に対して電力が供給される構成を排除しない。
【００４１】
バッテリーボックス２５には、バッテリー残量を表示するための残量表示部２８と、所定の残量以下になった場合にその旨の音声信号を出力するための残量警告スピーカ２９とを備えている。例えば、残量表示部２８は、赤・黄・緑の３色の発光部を備えており、バッテリー残量が５０％以上存在する場合には緑色光を発し、２０％以上５０％未満の場合には黄色光を発し、２０％未満の場合には赤色光を発するように構成されている。なお、残量表示部２８は、モニタを備え、バッテリー残量を％値で表示する構成であっても構わない。
【００４２】
制御ボックス１０は、筐体の外面に、主電源３１、音声認識オンオフ切替スイッチ３２、調光用ツマミ３３、音声認識インジケータ３５、音声認識アンサーバックスピーカ３６を設けている。
【００４３】
主電源３１は、例えばオペレータ４０によって操作されると、制御ボックス１０内の制御部（後述される）に対して通電が開始される。これにより、医療用ヘッドライト１は動作可能な状態となる。音声認識オンオフ切替スイッチ３２は、マイク２２を介してオペレータ４０から入力された音声信号に基づいて制御を行うか否かを選択するためのスイッチである。音声認識インジケータ３５は、マイク２２を介してオペレータ４０から入力された音声信号を認識して、制御部に対してその音声信号に応じた指示信号を出力する。音声認識アンサーバックスピーカ３６は、マイク２２を介してオペレータ４０から入力された音声信号が正しく認識できなかった場合に、その旨の警告に対応する音声信号を出力するスピーカである。なお、音声認識インジケータ３５がオペレータ４０から入力された音声信号を正しく認識できた場合であっても、音声認識アンサーバックスピーカ３６からその旨の音声信号を出力する構成としても構わない。
【００４４】
本実施形態において、調光用ツマミ３３は、電球色のＬＥＤ素子７ａの調光を行うためのツマミ３３ａと、白色のＬＥＤ素子７ｂの調光を行うためのツマミ３３ｂとを含む。ツマミ３３ａが操作されることで、光束５０に含まれる光のうちの電球色の光量が増減され、ツマミ３３ｂが操作されることで、光束５０に含まれる光のうちの白色の光量が増減される。すなわち、ツマミ３３ａ及びツマミ３３ｂが個別に操作されることで、照明領域５１（図３参照）に照射される光の色温度が調整され得る。
【００４５】
図６は、医療用ヘッドライト１の制御内容を模式的に示すブロック図である。図６に示すように、制御ボックス１０内には、制御部１１が備えられている。なお、図１〜図３を参照して上述したように、制御ボックス１０の筐体の外面には、主電源３１、音声認識オンオフ切替スイッチ３２、調光用ツマミ３３、及び音声認識インジケータ３５が設けられている。
【００４６】
制御部１１は、電流量決定部１２と給電部１３を備える。電流量決定部１２は、各発光面６０を構成するＬＥＤ素子７（７ａ，７ｂ）に対して供給する電流量を決定する。給電部１３は、電流量決定部１２で決定された電流量に関する情報が入力され、実際に当該電流量の電流をケーブル２３に対して出力する。電流量決定部１２は、例えばＣＰＵやマイコンなどで構成され、給電部１３は例えばドライバで構成される。給電部１３は、バッテリーボックス２５に内蔵されたバッテリーとバッテリーケーブル２７を介して電気的に接続されており、当該バッテリーから電力が供給される。
【００４７】
オペレータ４０は、図３に示すようにヘッドバンド３を頭部に装着し、主電源３１をオンにする。制御部１１（電流量決定部１２）は、主電源３１がオン状態になったことを検知すると、初期時点におけるＬＥＤ素子７に対する電流量を決定する。このとき、制御ボックス１０は、初期時点においてＬＥＤ素子７に対して供給する電流量に関する情報が保持された記憶部を備え、電流量決定部１２が記憶部から前記情報を読み出して電流量を決定するものとしても構わない。
【００４８】
給電部１３は、電流量決定部１２によって決定された電流量の電流をケーブル２３に出力する。これにより、ＬＥＤ素子７が発光する。
【００４９】
ところで、オペレータ４０によっては、患者４３に対する医療行為の実行中において、意図的に術野（照明領域５１）の照度を上昇又は低下させたい場合があり得る。本実施形態の医療用ヘッドライト１は、このような事情に鑑み、音声認識機能が実装されている。
【００５０】
音声認識オンオフ切替スイッチ３２がオン状態である場合、音声認識インジケータ３５はマイク２２からの音声信号を受信すると、この音声信号を所定の制御信号に変換して制御部１１に出力する。例えば、オペレータ４０がマイク２２を使って「アップ」と発言すると、音声認識インジケータ３５は「アップ」という音声信号を受信し、制御部１１に対してＬＥＤ素子７に対する供給電流量を所定値だけ上昇する旨の指示信号に変換して出力する。制御部１１は、当該信号を受信すると、ＬＥＤ素子７に対する供給電流量を前記所定値だけ上昇させる。これにより、照明領域５１の照度が上昇する。例えば、オペレータ４０が、マイク２２を使って「アップ」などの所定の文言を繰り返し発言することで、照度が更に高められるものとすることができる。
【００５１】
同様に、例えば、オペレータ４０がマイク２２を使って「ダウン」と発言することで、制御部１１は、ＬＥＤ素子７に対する供給電流量を所定値だけ低下させる。これにより、照明領域５１の照度が低下する。例えば、オペレータ４０が、マイク２２を使って「ダウン」などの所定の文言を繰り返し発言することで、照度が更に低下されるものとすることができる。
【００５２】
また、オペレータ４０によっては、患者４３に対する医療行為の実行中において、意図的に術野（照明領域５１）の色温度を上昇又は低下させたい場合があり得る。このような場合にも、音声認識機能を利用することができる。例えば、オペレータ４０がマイク２２を使って「ホワイト」と発言すると、音声認識インジケータ３５は「ホワイト」という音声信号を受信し、制御部１１に対して、電球色のＬＥＤ素子７ａの輝度値に対する、白色ＬＥＤ素子７ｂの輝度値の比率を所定値だけ上昇する旨の指示信号に変換して出力する。制御部１１は、当該信号を受信すると、前記輝度値の比率が前記所定値だけ上昇するように、ＬＥＤ素子７（７ａ，７ｂ）に対する供給電流量を変更する。同様に、例えば、オペレータ４０がマイク２２を使って「オレンジ」と発言することで、白色ＬＥＤ素子７ｂの輝度値に対する、電球色のＬＥＤ素子７ａの輝度値の比率が所定値だけ上昇するように、ＬＥＤ素子７（７ａ，７ｂ）に対する供給電流量を変更する。
【００５３】
また、オペレータ４０がマイク２２を使って「ホワイト」又は「オレンジ」のような所定の文言を繰り返し発言することで、照明領域５１の色温度が連続的（断続的）に変化できるものとしても構わない。
【００５４】
なお、医療行為中にオペレータ４０が行った発言が、誤って音声認識インジケータ３５によって認識されてしまい、照明領域５１の照明の態様が意図せず変化するおそれも考えられる。このような事態を避ける目的で、音声認識オンオフ切替スイッチ３２が設けられている。音声認識オンオフ切替スイッチ３２を予めオフにしておくことで、音声認識機能を解除することできる。
【００５５】
［別実施形態］
以下、別実施形態について説明する。
【００５６】
〈１〉上述した実施形態では、本体部５は、発光面６０が形成されている側とは反対側にフィン９が形成されているものとして説明した。しかし、本体部５の面のうち、発光面６０とは同一側であって、発光面６０の裏側にフィン９が形成されているものとしても構わない。
【００５７】
図７Ａ及び図７Ｂは、別実施形態の本体部５の構成を模式的に示す図面であり、図７Ａが斜視図、図７Ｂが平面図に対応する。この構成では、本体部５は、支持部材８１と、支持部材８１は別の部材からなる板部材８２を有している。支持部材８１と板部材８２とは、中央部においてネジ部８５によって固定されており、この支持部材８１と板部材８２との間にフィン９が形成されている。
【００５８】
このような構成であっても、フィン９の位置と、オペレータ４０の頭部との位置を離間させることができるため、オペレータ４０が医療行為を行っている最中に、顔や頭部が熱くなることが抑制される。
【００５９】
〈２〉上述の実施形態では、各発光面６０から射出される光束の光軸６１がほぼ一点、すなわち微小領域６２において交差するように発光面６０が配置されるものとして説明した。しかし、このことは、本発明から、当該微小領域６２を通過しない光軸を有した別の発光面（補助光源）を備えることを排除する趣旨ではない。
【００６０】
図８は、別実施形態における、本体部５の構成を模式的に示す図面である。図８に示す構成では、本体部５には、発光面６０とは別の補助用発光面９１を備えている。この補助用発光面９１は、発光面６０から射出される光束の光軸６１とは異なり、射出光束の光軸９２は、微小領域６２を通過しない。ここでは、補助用発光面９１から射出される光束が、ほぼ直進する場合が図示されている。例えば、このような態様で構成されることで、補助用発光面９１から射出される光束によって、術野ではなく遠方が照明され、例えば暗部において医療用具、その他の物品を探すための照明として利用することができる。
【００６１】
〈３〉各発光面６０（６０ａ，６０ｂ，６０ｃ）において、発散角を異ならせることで配光分布を異ならせても構わない。図９は、発光面６０ａと発光面６０ｃにおいて、発散角を異ならせた場合の照射態様の相違を模式的に示す図面である。図９の例では、方向ｄ１に関して端部に位置する発光面６０ｃの発散角が、中央部に位置する発光面６０ａの発散角よりも広くなるように設計されている。この場合、光軸６１ａと光軸６１ｃとが交差する箇所（微小領域６２）の位置において、発光面６０ｃから射出された光束による照射領域６４ｃは、発光面６０ａから射出された光束による照射領域６４ａよりも広くなる。
【００６２】
〈４〉上述した医療用ヘッドライト１の構造はあくまで一例であり、種々の変更が可能である。具体的には以下の通りである。
【００６３】
上述した実施形態では、本体部５は、４個のＬＥＤ素子７からなる発光面６０を複数備え、それぞれの発光面６０が段差を有して配置されている場合について説明した。しかし、この態様は一例である。例えば、本体部５に備えられた全ての発光面６０が、同一平面又は同一曲面上に配置されていても構わない。
【００６４】
本体部５において、ＬＥＤ素子７の裏面側にフィン９を設けるか否かは任意である。医療用ヘッドライト１がフェースガード２１を備えるか否かは任意である。バッテリーボックス２５が、残量表示モニタ２８及び残量警告スピーカ２９を備えるか否かは任意である。制御ボックス１０がバックアンサースピーカ３５を備えるか否かは任意である。
【００６５】
医療用ヘッドライト１は、バッテリーボックス２５を備えず、商用電源から電力が供給されることで駆動する構成とすることも可能である。
【００６６】
ヘッドバンド３と本体部５とを連結するための固定部４は、３箇所以上に設けられていても構わない。
【００６７】
〈５〉上記実施形態では、医療用ヘッドライト１が音声認識機能を有している場合を想定して説明した。しかし、医療用ヘッドライト１が音声認識機能を備えないものとしても構わない。
【００６８】
〈６〉上述したように、医療用ヘッドライト１は、無影灯が存在しない環境下においても照射領域５１（術野）に対して医療行為を行うのに十分な照度の光を提供することができる構成である。しかし、本発明は、この医療用ヘッドライト１が、無影灯と共に利用される態様を排除する趣旨ではない。
【符号の説明】
【００６９】
１      ：    医療用ヘッドライト
３      ：    ヘッドバンド
４      ：    固定部
５      ：    本体部
７      ：    ＬＥＤ素子
７ａ    ：    電球色ＬＥＤ素子
７ｂ    ：    白色ＬＥＤ素子
８      ：    角度調整用ツマミ
９      ：    フィン
１０      ：    制御ボックス
１１      ：    制御部
１２      ：    電流量決定部
１３      ：    給電部
１６      ：    タイマ
２１      ：    フェースガード
２２      ：    マイク
２３      ：    ケーブル
２５      ：    バッテリーボックス
２６      ：    充電用コネクタ
２７      ：    バッテリーケーブル
２８      ：    残量表示部
２９      ：    残量警告スピーカ
３１      ：    主電源
３２      ：    音声認識オンオフ切替スイッチ
３３      ：    調光用ツマミ
３３ａ    ：    電球色調光用ツマミ
３３ｂ    ：    白色調光用ツマミ
３５      ：    音声認識インジケータ
３６      ：    音声認識アンサーバックスピーカ
４０      ：    オペレータ
４１      ：    載置台
４３      ：    患者
５０      ：    光束
５１      ：    照明領域
６０（６０ａ，６０ｂ，６０ｃ）      ：    発光面
６１（６１ａ，６１ｂ，６１ｃ）      ：    光軸
６２      ：    微小領域
６４（６４ａ，６４ｃ）      ：    光束
７０      ：    金属部材
７１      ：    平坦面
７２      ：    横リブ
８１      ：    支持部材
８２      ：    板部材
８５      ：    ネジ部
９１      ：    補助用発光面
９２      ：    補助用発光面の光軸
【図１】
2018160415.tif 000003
【図２】
2018160415.tif 000004
【図３】
2018160415.tif 000005
【図４】
2018160415.tif 000006
【図５Ａ】
2018160415.tif 000007
【図５Ｂ】
2018160415.tif 000008
【図６】
2018160415.tif 000009
【図７Ａ】
2018160415.tif 000010
【図７Ｂ】
2018160415.tif 000011
【図８】
2018160415.tif 000012
【図９】
2018160415.tif 000013